(57)【特許請求の範囲】
【請求項１】
３本の電子ビームを形成、射出する電子ビーム形成部と、前記電子ビームを加速集束させる主レンズ部を有し、前記主レンズ部は、少なくとも中位の電圧が供給される第１のグリッドと陽極電圧が供給される第３のグリッドとを含む複数個のグリッドからなる陰極線管用電子銃において、
前記第１のグリッドと第３のグリッドの間に、前記第１のグリッドに供給される中位の電圧よりも高く、前記第３のグリッドに供給される陽極電圧よりも低い電圧が供給される第２のグリッドが電子ビームの進行方向に沿って配置され、
前記第２グリッド側に対向する前記第１のグリッド及び第３のグリッドの開口部は、３本の電子ビームに共通の筒状開口部に形成され、前記第１グリッド及び第３グリッドの開口部から奥まった部分には、３本の電子ビームに対して個別の通過孔を有する板状電極が配置され、
前記第２のグリッドは、前記第１のグリッド側の対向面及び前記第３のグリッド側の対向面が３本の電子ビームに共通の筒状開孔部に形成され、前記第２のグリッドの筒状開孔部において、第１のグリッド側の筒状開孔部の短径をＲ１、第３のグリッド側の筒状開孔部の短径をＲ２としたとき、第２のグリッドの電子ビーム進行方向に沿った長さＬが
０．３≦Ｌ／｛（Ｒ１＋Ｒ２）／２｝≦０．６
の関係に定められていることを特徴とする陰極線管用電子銃。
【発明の詳細な説明】
【０００１】
【発明の属する技術分野】
この発明は、陰極線管用電子銃に係り、特に、カラーブラウン管等に使用される陰極線管用電子銃に関する。
【０００２】
【従来の技術】
ー般に、陰極線管として代表的なカラー受像管は、第１図に示すように、パネル１及びこのパネル１に一体に接合されたファンネル２からなる外囲器を有し、そのパネル１の内面に、赤、緑、青に発光するストライプ状あるいはドット状の３色蛍光体層からなる蛍光体スクリーン３が形成されている。また、この蛍光体スクリーン３に対向して、その内側に多数のビーム通過孔の形成されたシャドウマスク４がパネル１の内面に装着されている。一方、ファンネル２のネック５内には、３電子ビーム６Ｂ、６Ｇ、６Ｒを放出する電子銃７が配設されている。そして、この電子銃７から放出される３電子ビーム６Ｂ、６Ｇ、６Ｒがファンネル２の外側に装着された偏向ヨーク８の発生する水平並びに垂直偏向磁界により偏向され、シャドウマスク４を介して蛍光体スクリーン３上に向けられ、この蛍光体スクリーン３が３電子ビーム６Ｂ、６Ｇ、６Ｒによって水平並びに垂直に走査されることにより、カラー画像が蛍光体スクリーン３に表示される。
【０００３】
このような構造のカラーブラウン管では、その画像の解像度は、電子銃から発生され、蛍光体スクリーン３上に集束される電子ビームの蛍光体スクリーン３上におけるスポットの大きさ及び形状に依存している。この画像の解像度を高くする手段の一つとして、電子銃の主レンズ部口径をできるだけ大きくすることにより、電界レンズの球面収差を減少させる方法が一般に採用されている。
【０００４】
一般に、カラーブラウン管の電子銃の主レンズ部は、図２（ａ）及び２（ｂ）に示すように３電子ビーム６Ｂ、６Ｇ、６Ｒの各々に対応した電子ビーム通過孔が集束電極及び最終加速電極に形成され、前記電子ビーム通過孔部が対向するように構成されている。前記集束電極及び最終加速電極により形成される電界レンズの口径は、前記電子ビーム通過孔の孔径により制限を受けるため、この電子ビーム通過孔の機械的な制限以上に大きくすることができない。
【０００５】
上記問題点を解決するために特公平２−１８５４０号公報等に開示されているカラーブラウン管では、図３（ａ）及び３（ｂ）に示すように３電子ビームに共通の通過開孔部となる筒状電極１ｌａ、１３ａと３電子ビーム各々の通過孔部１２ａ、１２ｂ、１２ｃ、１４ａ、１４ｂ、１４ｃを有する板状電極１２、１４とで構成される集束電極９及び最終加速電極１０により主レンズ部が構成される。この様に主レンズ部を形成することにより、３電子ビームが主レンズ部を通過する軌道に発生した電界レンズが隣り合うもの同士で一部重なり合うので、大口径の主レンズ部電界を形成することができる。従って、球面差によるスポットへの悪影響を低減することができる。また、主レンズ部のレンズ倍率を小さくすることができるので、従来より小径のスポットをスクリーン上に生成することができる。しかし、電子銃は、ブラウン管のネック内にあり、筒状電極の開孔径は、ネックの内径によって制限されることから、筒状電極の開孔径の拡大によるスポットの改善には、限界がある。
【０００６】
また、筒状電極の開孔径を大きくするために、ネック径を拡大してしまうと、偏向ヨークにより電子ビームを水平並びに垂直走査する際、偏向感度が低くなってしまい、消費電力の増大等の悪影響が出る。
【０００７】
また、この様な問題点を解決する手段が特開平８−２２７８０号公報等に開示されている。この公報に開示されているカラーブラウン管には、第４図に示すように、３電子ビームの共通の通過開孔部となる筒状電極１９ａ、２１ａと３電子ビーム各々の通過開孔部１８ａ、１８ｂ、１８ｃ、２０ａ、２０ｂ、２０ｃを有する板状電極１８、２０とで構成された集束電極１５及び最終加速電極１６及び前記集束電極１５と最終加速電極１６との間に、前記集束電極１５及び最終加速電極１６と同軸の３電子ビームに共通な通過孔となる補助電極１７が配置されて主レンズ部が形成されている。この様な構造では、ネック径を拡大することなくビーム進行方向に電界レンズの電位分布をより緩やかな勾配とすることができる。従って、このような構造の主レンズ部では、その電界の球面収差を上述の特公平２−１８５４０号公報等に開示されているものよりも少なくすることができるとされている。しかしながら、前記主レンズ部の構造では、補助電極の電子ビーム進行方向に沿った長さを長くとると、主レンズ部で形成される電界レンズが補助電極の前後で分離されてしまい、実質的に２つの電界レンズが形成されてしまう。この様な構造を有する電子銃の主レンズ部の一例として、集束電極及び最終加速電極と、前記集束電極及び最終加速電極と同軸にその間に挿入される補助電極とを有する構造においては、それぞれ隣り合う面の開孔部が３電子ビーム共通の開孔部を有し、その共通開孔部の短径となっている垂直径が７ｍｍ、補助電極の電子ビーム進行方向に沿った長さが６ｍｍである時、補助電極が有る場合と無い場合の軸上電位分布を計算した結果が図５のグラフ１に、その２次微分を計算した結果が図６のグラフ２に示されている。確かに、グラフ１より、補助電極が無い場合より有る場合の方が、軸上電位分布の変化は、緩やかになっている。しかしながら、軸上電位分布の２次微分は、補助電極が有ると正の領域と負の領域が交互に２つずつ現れている。即ち、集束電極と最終加速電極の間で形成される主レンズ部の電界レンズは、補助電極によって分割されてしまい。実質的に二つの小さなレンズとして電子ビームにレンズ作用が与えられるようになる。従って、主レンズ部の大口径化の効果が損なわれてしまい、良好な電子ビームスポットを得ることはできない。
【０００８】
【発明が解決しようとする課題】
蛍光体スクリーン３上における画像の解像度を高くする為に、電子銃の主レンズ部口径をできるだけ大きくすることにより、電界レンズの球面収差を減少させる方法がある。しかしながら、集束電極及び最終加速電極により形成される電界レンズの口径は、前記電子ビーム通過孔の孔径により制限を受けるため、この電子ビーム通過孔の機械的な制限以上に大きくすることができない問題がある。
【０００９】
この問題点を解決するために、３電子ビームの共通の通過開孔部となる筒状電極と３電子ビーム各々の通過孔部を有する板状電極とで構成される集束電極９及び最終加速電極１０により主レンズ部を形成して、大口径の主レンズ部電界を形成する技術がある。しかし、この構造では、電子銃は、ブラウン管のネック内にあり、筒状電極の開孔径は、ネックの内径によって制限されることから、筒状電極の開孔径の拡大によるスポットの改善には、限界があるとされている。
【００１０】
また、筒状電極の開孔径を大きくするために、ネック径を拡大してしまうと、偏向ヨークにより電子ビームを水平並びに垂直走査する際、偏向感度が低くなってしまい、消費電力の増大する等の問題がある。
【００１１】
また、この様な問題点を解決する為に、集束電極１５及び最終加速電極１６との間に同軸の３電子ビームに共通な通過孔となる補助電極１７が配置されて主レンズ部が形成されている構造がある。しかしながら、このような主レンズ部の構造では、補助電極の電子ビーム進行方向に沿った長さを長くとると、主レンズ部で形成される電界レンズが補助電極の前後で分離されてしまい、実質的に２つの電界レンズが形成されてしまう。即ち、集束電極と最終加速電極の間で形成される主レンズ部の電界レンズは、補助電極によって分割されてしまい。実質的に二つの小さなレンズとして電子ビームにレンズ作用が与えられるようになる。従って、主レンズ部の大口径化の効果が損なわれてしまい、良好な電子ビームスポットを得ることはできない問題がある。
【００１２】
本発明は、上述したような事情に鑑みなされたものであって、その発明の目的は、ネック径を拡大することなく、かつ主レンズ部で形成されるレンズ電界を分離することなく、効果的に主レンズ部の電界レンズの球面収差を低減する主レンズ部構造を提供することにより、良好な解像度を得るためのスポットを生成する陰極線管用電子銃を提供するにある。
【００１３】
【課題を解決するための手段】
この発明によれば、
３本の電子ビームを形成、射出する電子ビーム形成部と、前記電子ビームを加速集束させる主レンズ部を有し、前記主レンズ部は、少なくとも中位の電圧が供給される第１のグリッドと陽極電圧が供給される第３のグリッドとを含む複数個のグリッドからなる陰極線管用電子銃において、
前記第１のグリッドと第３のグリッドの間に、前記第１のグリッドに供給される中位の電圧よりも高く、前記第３のグリッドに供給される陽極電圧よりも低い電圧が供給される第２のグリッドが電子ビームの進行方向に沿って配置され、
前記第２グリッド側に対向する前記第１のグリッド及び第３のグリッドの開口部は、３本の電子ビームに共通の筒状開口部に形成され、前記第１グリッド及び第３グリッドの開口部から奥まった部分には、３本の電子ビームに対して個別の通過孔を有する板状電極が配置され、
前記第２のグリッドは、前記第１のグリッド側の対向面及び前記第３のグリッド側の対向面が３本の電子ビームに共通の筒状開孔部に形成され、前記第２のグリッドの筒状開孔部において、第１のグリッド側の筒状開孔部の短径をＲ１、第３のグリッド側の筒状開孔部の短径をＲ２としたとき、第２のグリッドの電子ビーム進行方向に沿った長さＬが
０．３≦Ｌ／｛（Ｒ１＋Ｒ２）／２｝≦０．６
の関係に定められていることを特徴とする陰極線管用電子銃が提供される。
【００１４】
本発明において、上記構成とすることで第１のグリッドから第３のグリッドまでの間で形成される主レンズ部のビーム進行方向に沿った電界の電位分布は、緩やかな勾配となり、かつ、第１のグリッドから第３のグリッドまでの間で形成される電界レンズは、第２のグリッドにより分離されることなく全体として一枚の大口径レンズとして電子ビームに作用する。従って、主レンズ部電界の球面収差を効果的に減少させることができ、良好なスポットを得ることができる。
【００１５】
【発明の実施の形態】
図７（ａ）及び（ｂ）は、本発明の一実施例に係る陰極線管の電子銃部分を示す概略断面図である。図７（ａ）において、ヒータ（図示せず）を内装した、電子ビームを発生する３個の陰極ＫＢ、ＫＧ、ＫＲ、第１グリッド３１、第２グリッド３２、第３グリッド３３、第４グリッド３４、第５グリッド３５、第６グリッド３６及び第７グリッド３７、コンバージェンスカップＣＰがこの順に配置され、これら電極は、絶縁支持体（図示せず）により支持、固定されている。第１グリッド３１は、薄い板状電極であり、孔径小の３個の電子ビーム通過孔が穿設されている。第２グリッド３２も薄い板状電極であり、孔径小の３個の電子ビーム通過孔が穿設されている。第３グリッド３３は、一個のカップ状の電極と厚板電極が組み合わされ、第２グリッド３２側には、第２グリッド３２の電子ビーム通過孔よりもやや孔径が大きい３個の電子ビーム通過孔が穿設され、第４グリッド３４側には、孔径が大きい３個の電子ビーム通過孔が穿設されている。第４グリッド３４は、２個のカップ状電極の解放端をつきあわせてあり、それぞれ孔径大の３個の電子ビーム通過孔が穿設されている。第５グリッド３５は、電子ビーム通過方向に長い２個のカップ状電極、板状電極５２、３電子ビームに共通の開孔部を有する図８（ａ）に示すような筒状電極５１から構成され、第６グリッド側から第５グリッドをみると図８（ｂ）の様な形状に形成されている。次に、第６グリッドは、３電子ビームに共通の開孔部を有する図８（ａ）に示す様な２つの筒状電極６１、６２で構成されている。そして、第７グリッドは、３電子ビームに共通の開孔部を有する図８（ｂ）に示すような筒状電極７１、３個の電子ビーム通過孔が穿設されている板状電極７２の順で配置され、第７グリッドを第６グリッド側からみると、図２（ｂ）の様な形状となっている。
【００１６】
そして、３個の陰極ＫＢ、ＫＧ、ＫＲには、約１００〜１５０ｖ程度の電圧Ｅｋ、第１グリッド３１は、接地され、第２グリッド３２と第４グリッド３４には、約６００〜８００ｖ程度の電圧Ｖ２が印加され、第３グリッド３３と第５グリッド３５には、中位の電圧である約６〜１０ｋｖ程度の集束電圧Ｖ３が印加され、第７グリッド３７には、約２５〜３４ｋｖ程度の陽極電圧Ｖａが印加され、第６グリッド３６には、電子銃近傍に具備した抵抗器１００により第５グリッド３５と第７グリッド３７のほぼ中間の電圧Ｖ６が供給されている。
【００１７】
ここで、第６グリッド３６の第５グリッド側の開口部の短径及び第７グリッド側の開孔部短径を同径の７ｍｍとして、第６グリッド３６が無い状態及び第６グリッド３６の電子ビーム進行方向に沿った電極長を２mm、４mm、６mmと伸ばしていった場合の軸上電位の変化を計算した結果が図９のグラフ３に示されている。このグラフ３に示されるように、第６グリッド３６の電極長Ｌを伸ばしていくと、軸上電位の変化は緩やかになっていく。さらに、第６グリッド３６の電子ビーム進行方向に沿った電極長Ｌを２mm、４mm、６mmと伸ばしていった場合の、前記第６グリッド３６の電子ビーム進行方向に沿った電極長Ｌと電極開孔部短径Ｒとの比Ｌ／Ｒと、実効口径（垂直方向及び水平方向）との関係を計算した結果が図１０のグラフ４及び図１１のグラフ５に示されている。これらのグラフからわかるように、実効口径は、比Ｌ／Ｒを適正な値にとった場合もっとも大きくなることがわかる。さらに比Ｌ／Ｒを大きくしていくと、即ち、第６グリッド３６の電子ビーム進行方向に沿った電極長Ｌを長くしすぎると実効口径は減少してしまう。
【００１８】
そこで、実質的に第６グリッド３６を設けて電子ビームスポットの改善を行う意味のある範囲としては、良好な電子ビームスポットを得られる主レンズ部の大口径化を最大限行える実効口径の最大値、特に第６グリッド３６の開孔部短径方向、即ち、垂直方向の実効口径の最大値から第６グリッド３６の機械的開孔径の最小径である短径と実効口径とが同じ値になるまでの中間値をとるところまでである。このような有効な実効口径をとるために、第６グリッド３６の電子ビーム進行方向に沿った電極長Ｌと電極開孔部短径Ｒとの比Ｌ／Ｒは、グラフ４より０．３から０．８の間となる。即ち、比Ｌ／Ｒを０．３から０．６の間となるようにすれば有効に実効口径を拡大できる。
【００１９】
本発明による実施例では、この様な構造をとることにより、良好な電子ビームスポットを得ることができる。特に、前述の本発明の実施例において、比Ｌ／Ｒ＝０．４５の付近において実効口径は、最大値をとっている。このときの本発明における実施例の第６グリッド３６が有る場合と、比較として本発明における実施例の第６グリッド３６が無い場合である従来例のときの軸上電位分布の２次微分の計算結果が図１のグラフ６に示されている。本発明における実施例のように、第６グリッドが有る場合には、本発明における実施例で第６グリッドが無い場合より長い区間でレンズ電界を形成することができ、実効口径の減少の原因となる主レンズ部で形成されるレンズ電界の分離を防ぐことができる。即ち、第５グリッド３５と第７グリッド３７の間に設ける第６グリッド３６の電子ビーム進行方向に沿った電極長Ｌと電極開孔部短径Ｒとの比Ｌ／Ｒを０．３≦Ｌ／Ｒ≦０．６ ……（１）
とすることにより、実効口径の拡大を効率的に行え、良好な電子ビームスポットを得ることができる。
【００２０】
尚、第６グリッド３６の第５グリッド側の電極開孔部短径をＲ１、第７のグリッド側の電極開孔部の短径をＲ２としたとき、上記実施例では、Ｒ１＝Ｒ２＝Ｒとしていたが、第６グリッド３６への電界の浸透は前述したように短径によって制限を受ける。よって、Ｒ１≠Ｒ２としたとき、短径の大きい側は、電界の浸透が大きく入り込み、短径の小さい側は、電界の浸透が小さく入り込む。従って、第６グリッドへの電界の浸透は、短径Ｒ１とＲ２の平均に制約され、上記実施例における第６グリッドの制約条件（１）は、
０．３≦Ｌ／｛（Ｒ１＋Ｒ２）／２｝≦０．６
と書き改められ、この様に第６グリッド３６を構成することにより、実行口径の拡大を効率的に行うえ、良好な電子ビームスポットを得ることができる。
【００２１】
以上、発明の１実施例を説明したが、前記実施例では、約６〜１０ｋｖ程度の集束電圧が印加される第５グリッド３５と約２５〜３４ｋｖ程度の陽極電圧が印加される第７グリッド３７の間には、第６グリッド３６だけが配置されていたが、第５グリッド３５と第７グリッド３７の間に挿入されるグリッドが複数個（第６グリッド３６を含む）であったとしても、挿入されるグリッドには、前記第５グリッド側から前記第７グリッド側に向かって順次高くなっていくように電圧を供給して、前記挿入される各々のグリッドの筒状開孔部において、第５グリッド側の筒状開孔部短径をＲ１、第７グリッド側の筒状開孔部の短径をＲ２としたとき、第２のグリッドの電子ビーム進行方向に沿った長さＬが０．３≦Ｌ／｛（Ｒ１＋Ｒ２）／２｝≦０．６の関係となるように構成され、配置されていれば、隣り合うグリッド同士で前述の実施例と同様な効果を得ることができるので、主レンズ部全体としても前述の実施例と同様な効果を確保できる。さらに、第５グリッド３５と第７グリッド３７との間に挿入されるグリッドが３電子ビーム各々に対応した電子ビーム通過孔が配置され、前記電子ビーム通過孔において、第５グリッド側の通過孔部の短径をＲ１、第７グリッド側の通過孔部の短径をＲ２としたとき、前記挿入されるグリッドの電子ビーム進行方向に沿った長さＬが０．３≦Ｌ／｛（Ｒ１＋Ｒ２）／２｝≦０．６の関係となるように構成され、配置されていれば、各開孔部において、前述の実施例と同様な効果を得ることができるので、主レンズ部全体としても前述の実施例と同様な効果を確保できることはいうまでもない。
【００２２】
そして、前記挿入されるグリッドにおいて、第５グリッド側対向面及び第７グリッド側対向面が３電子ビーム共通の筒状開孔部となっており、かつ前記筒状電極となっている挿入されるグリットの内部には、３電子ビーム各々に対応した電子ビーム通過孔がある板状電極があり、その板の面が電子ビーム進行方向に対して略垂直に配置されており、前記挿入されるグリッドの筒状開孔部において、第５グリッド側の短径をＲ１、第７グリッド側の短径をＲ２としたとき、前記挿入されるグリッドの第５グリッド側開孔部から板状電極までの電子ビーム進行方向に沿った長さＬ１と、前記挿入されるグリッドの第７グリッド側開孔部から板状電極までの電子ビーム進行方向に沿った長さＬ２とが
０．１５≦Ｌ１／｛（Ｒ１＋Ｒ２）／２｝≦０．３
０．１５≦Ｌ２／｛（Ｒ１＋Ｒ２）／２｝≦０．３
の関係となっており、かつ、前記挿入される電極の内部に配置された前記板状電極の電子ビーム通過孔の前記筒状開孔径の短径方向と同一方向の最小径をｒとしたとき、板状電極の板厚ＴがＴ／ｒ≦０．６の関係となるように構成され、配置されていれば、第６グリッド３６の筒状開孔部内及び板状電極のビーム通過孔の各部において、前述の実施例と同様な効果を得ることができるので、主レンズ部全体としても前述の実施例と同様な効果を確保できる。また、前述の実施例は、ＱＰＦ構造の電子銃について説明したが、同様な主レンズ部構造を有する電子銃であれば、ＱＰＦ構造に限らず、同様の効果を得ることができることは、いうまでもない。
【００２３】
【発明の効果】
複数の電子ビームを形成、射出する電子ビーム形成部と、前記電子ビームを加速集束させる主レンズ部を有し、前記主レンズ部は、少なくとも中位の電圧が供給される第１のグリッドと陽極電圧が供給される第３のグリッドとを含む複数個のグリッドからなる陰極線管用電子銃において、前記第１のグリッドと第３のグリッドの間に、前記第１のグリッドに供給される中位の電圧よりも高く、前記第３のグリッドに供給される陽極電圧よりも低い電圧が供給される少なくとも１つの第２のグリッドが電子ビームの進行方向に配置されており、第２のグリッドは第１のグリッド側の対向面及び第３のグリッド側の対向面が複数の電子ビーム共通の筒状開孔部となっており、第１のグリッドから第３のグリッドの間で形成されるレンズ電界が第２のグリッドにより分離されることがないように、第２のグリッドの筒状開孔部の短径と電子ビーム進行方向に沿った第２のグリッドの長さとの間で適正な関係を保つようにした。前記の様に構成したことにより、主レンズ部に形成する電界レンズを第２のグリッドの前後で分離させることなく、つまりビーム進行方向に沿った軸上電位の変化を滑らかに持たせることができ、かつ球面収差を大幅に低減させることができる。即ち、主レンズ部で形成する電界は全体として一枚のレンズとして電子ビームを集束する作用を有することができ、良好なスポットを得ることができる。
【図面の簡単な説明】
【図１】一般的な陰極線管の構造を概略的に示す断面図である。
【図２】（ａ）及び（ｂ）は、従来の陰極線管に搭載される陰極線管用電子銃を概略的に示す断面図及び平面図である。
【図３】（ａ）及び（ｂ）は、従来の陰極線管に搭載される他の例の陰極線管電子銃の主レンズ部の電極の構造を概略的に示す断面図及び平面図である。
【図４】従来の陰極線管に搭載される第３の陰極線管用電子銃の主レンズ部電極の構造を示す図である。
【図５】従来例である主レンズ部に補助電極がある場合とない場合のレンズ電界の軸上電位分布を示すグラフである。
【図６】従来例である主レンズ部に補助電極がある場合とない場合のレンズ電界の軸上電位分布の２次微分を示すグラフである。
【図７】本発明による陰極線管用電子銃の一実施例を示す概略断面図である。
【図８】（ａ）及び（ｂ）は、本発明による陰極線管用電子銃に使用される電極形状を示す平面図である。
【図９】本発明の実施例である第６グリッドの電子ビーム方向に沿った長さを変えていった際の軸上電位分布の変化を示すグラフである。
【図１０】第６グリッドの電子ビーム進行方向に沿った電極長Ｌと電極開孔部短径Ｒとの比Ｌ／Ｒと、実効口径（垂直方向）との関係を示すグラフである。
【図１１】第６グリッドの電子ビーム進行方向に沿った電極長Ｌと電極開孔部短径Ｒとの比Ｌ／Ｒと、実効口径（水平方向）との関係を示すグラフである。
【図１２】本発明における実施例の第６グリッドが有る場合と、比較として本発明における実施例の第６グリッドが無い場合である従来例のときの軸上電位分布の２次微分の計算結果を示すグラフである。
【符号の説明】
１…パネル、２…ファンネル、３…蛍光体スクリーン、４…マスク、５…ネック、６Ｂ、６Ｇ、６Ｒ…電子ビーム、７…電子銃、８…偏向ヨーク、１ｌａ、１３ａ…筒状電極、１２、１４…板状電極、１２ａ、１２ｂ、１２ｃ…電子ビーム通過孔部、１４ａ、１４ｂ、１４ｃ…電子ビーム通過孔部、１５…集束電極、１８、２０…板状電極、１６…最終加速電極、１７…補助電極、１８ａ〜１８Ｃ、２０ａ〜２０Ｃ…電子ビーム通過孔部、１９ａ、２１ａ…筒状電極、ＫＲ、ＫＧ、ＫＢ…陰極、３１〜３７…グリッド、１００…抵抗器、
【図１】
0004068261.tif 000002
【図２】
0004068261.tif 000003
【図３】
0004068261.tif 000004
【図４】
0004068261.tif 000005
【図５】
0004068261.tif 000006
【図６】
0004068261.tif 000007
【図７】
0004068261.tif 000008
【図８】
0004068261.tif 000009
【図９】
0004068261.tif 000010
【図１０】
0004068261.tif 000011
【図１１】
0004068261.tif 000012
【図１２】
0004068261.tif 000013